(57)【要約】【課題】POLが反転するときの書き込み時間を充分確保する。【解決手段】１ライン目から３１ライン目までの奇数ラインの駆動中、すなわち、POLが固定している状態では、ソースドライバは、VCOMを跨った遷移をしないので、立ち上がり時間が短く出来る。しかしながら、奇数ラインから偶数ラインに駆動が切り替わるとき、POLが反転してＧ３３がHighとなっているときは、ソースドライバの電位が所望のレベルになるまで、固定時に対して時間を要する(Tr_B＞Tr_A)。そのため、他に対して、書き込み時間が十分確保できない。そこで、POLが反転する書き込み期間を他に対して長くすることで、書き込み条件を均一になるようにする。すなわち、図中のタイミングをＴ３＞Ｔ１,Ｔ１＝Ｔ２＝Ｔ４とすると好適である。本発明は、表示装置に適用できる。【選択図】図８
2009229858.tif 000002
【特許請求の範囲】
【請求項１】
マトリクス状に配設された画素に対応する液晶表示素子から構成される表示手段と、
前記画素に対応する前記液晶表示素子に接続された走査線を駆動する第１の駆動手段と、
前記画素に対応する前記液晶表示素子に接続された信号線を駆動する第２の駆動手段と、
前記表示手段に表示させる画像信号を取得する画像取得手段と、
前記画像取得手段により取得された前記画像信号に基づいて、前記第１の駆動手段および前記第２の駆動手段を制御する制御手段と
を備え、
前記制御手段は、
前記表示手段の全水平走査ラインを複数の領域に分割し、複数の前記領域で、水平走査ラインの奇数ラインのみを走査する第１のサブフレームと、水平走査ラインの偶数ラインのみを走査する第２のサブフレームとの走査を実行することにより、１フレーム全ての水平走査ラインを走査し、かつ、前記第１のサブフレームと前記第２のサブフレームとの切換え後の最初の水平走査ラインの書き込み時間が、他の水平走査ラインの書き込み時間よりも長く設定されるように、前記第１の駆動手段を制御し、
前記第１のサブフレームと前記第２のサブフレームとの切換え時に極性信号が反転するように、前記第２の駆動手段を制御する
液晶表示装置。
【請求項２】
前記制御手段は、前記第１のサブフレームと前記第２のサブフレームとの切換え時の極性信号の反転箇所が重ならないように、前記第１の駆動手段および前記第２の駆動手段を制御する
請求項１に記載の液晶表示装置。
【請求項３】
マトリクス状に配設された画素に対応する液晶表示素子から構成される表示手段と、
前記画素に対応する前記液晶表示素子に接続された走査線を駆動する第１の駆動手段と、
前記画素に対応する前記液晶表示素子に接続された信号線を駆動する第２の駆動手段と
を備える液晶表示装置の液晶表示方法において、
前記表示手段に表示させる画像信号を取得し、
前記画像信号に基づいて、前記第１の駆動手段および前記第２の駆動手段を制御するとき、
前記表示手段の全水平走査ラインを複数の領域に分割し、複数の前記領域で、水平走査ラインの奇数ラインのみを走査する第１のサブフレームと、水平走査ラインの偶数ラインのみを走査する第２のサブフレームとの走査を実行することにより、１フレーム全ての水平走査ラインを走査し、
前記第１のサブフレームと前記第２のサブフレームとの切換え時に極性信号が反転し、
前記第１のサブフレームと前記第２のサブフレームとの切換え後の最初の水平走査ラインの書き込み時間が、他の水平走査ラインの書き込み時間よりも長く設定される
ように、前記第１の駆動手段および前記第２の駆動手段を制御する
液晶表示方法。
【請求項４】
マトリクス状に配設された画素に対応する液晶表示素子から構成される表示部への画像の表示を制御する表示制御装置において、
前記画素に対応する前記液晶表示素子に接続された走査線を駆動する第１の駆動手段と、
前記画素に対応する前記液晶表示素子に接続された信号線を駆動する第２の駆動手段と、
前記表示部に表示させる画像信号を取得する画像取得手段と、
前記画像取得手段により取得された前記画像信号に基づいて、前記第１の駆動手段および前記第２の駆動手段を制御する制御手段と
を備え、
前記制御手段は、
前記表示部の全水平走査ラインを複数の領域に分割し、複数の前記領域で、水平走査ラインの奇数ラインのみを走査する第１のサブフレームと、水平走査ラインの偶数ラインのみを走査する第２のサブフレームとの走査を実行することにより、１フレーム全ての水平走査ラインを走査し、かつ、前記第１のサブフレームと前記第２のサブフレームとの切換え後の最初の水平走査ラインの書き込み時間が、他の水平走査ラインの書き込み時間よりも長く設定されるように、前記第１の駆動手段を制御し、
前記第１のサブフレームと前記第２のサブフレームとの切換え時に極性信号が反転するように前記第２の駆動手段を制御する
表示制御装置。
【請求項５】
前記制御手段は、前記第１のサブフレームと前記第２のサブフレームとの切換え時の極性信号の反転箇所が重ならないように、前記第１の駆動手段および前記第２の駆動手段を制御する
請求項４に記載の表示制御装置。
【請求項６】
マトリクス状に配設された画素に対応する液晶表示素子から構成される表示部への画像の表示を制御するために、
前記画素に対応する前記液晶表示素子に接続された走査線を駆動する第１の駆動手段と、
前記画素に対応する前記液晶表示素子に接続された信号線を駆動する第２の駆動手段と
を備える表示制御装置の表示制御方法において、
前記表示部に表示させる前記画像に対応する画像信号を取得し、
取得された前記画像信号に基づいて、前記第１の駆動手段および前記第２の駆動手段を制御するとき、
前記表示部の全水平走査ラインを複数の領域に分割し、複数の前記領域で、水平走査ラインの奇数ラインのみを走査する第１のサブフレームと、水平走査ラインの偶数ラインのみを走査する第２のサブフレームとの走査を実行することにより、１フレーム全ての水平走査ラインを走査し、
前記第１のサブフレームと前記第２のサブフレームとの切換え時に極性信号が反転し、
前記第１のサブフレームと前記第２のサブフレームとの切換え後の最初の水平走査ラインの書き込み時間が、他の水平走査ラインの書き込み時間よりも長く設定される
ように、前記第１の駆動手段および前記第２の駆動手段を制御する
表示制御方法。
【発明の詳細な説明】
【技術分野】
【０００１】
本発明は、液晶表示装置および液晶表示方法、並びに、表示制御装置および表示制御方法に関し、特に、ライン間の画像ずれの発生を抑制することができるようにすることができるようにした、液晶表示装置および液晶表示方法、並びに、表示制御装置および表示制御方法に関する。
【背景技術】
【０００２】
従来、液晶テレビ等に用いられる液晶表示パネルに画像を表示する場合、奇数ラインを走査してから、偶数ラインを走査するインターレース方式が用いられてきた。
【０００３】
インターレース方式では、例えば、図１に示されるように、まず、画面上方から奇数ラインのみを選択して駆動した後、画面上方から奇数ラインのみを選択して駆動するようになされている。
【０００４】
そのとき、図２のＡに示されるように、１ライン目の駆動の次は３ライン目が駆動され、その次に５ライン目が駆動され、奇数ラインがすべて駆動された後に、２ライン目４ライン目・・・が駆動される（図２のＡ中の数字は、各ラインの駆動順を示す）。したがって、図２のＢに示されるように、極性信号POLは、各サブフレームが切り替わるごとに、１回切り替わる（図２のＢ中の数字は、画面上上から数えたライン番号を示す）。
【０００５】
図３に、図１および図２を用いて説明した場合における、液晶表示パネルを動作させるための駆動信号を示す。図中、GSTR_Leftは、奇数ラインの走査開始を示す信号であり、GSTR_Rightは、偶数ラインの走査開始を示す信号であり、CGLKは、水平同期のための基準クロックであり、Ｇ１，Ｇ２・・・は、それぞれのラインのゲート駆動波形、そして、POLは、ソースドライバの駆動極性を制御する信号である。
【０００６】
さらに、従来、消費電力を減少させると同時に、ディスプレイ画像のフリッカを発生させないようにするために、外部のタイミング制御部から入力されるゲートラインオン信号に応答して、液晶パネルのゲートラインをｋライン間隔でｎ個のゲートライン単位のインターレース方式で順次スキャニングするように、液晶パネルのゲートラインのスキャン順序を設定するゲートラインシフト回路を備え、外部のソースドライバから出力されたソースデータをゲートラインシフト回路で設定されたインターレース方式のゲートラインスキャン順序にデータを表示させることができる液晶パネルがある（例えば、特許文献１参照）。
【０００７】
【特許文献１】特開２００６−１８２９９号公報
【発明の開示】
【発明が解決しようとする課題】
【０００８】
しかしながら、インターレース方法を用いて動画像を表示した場合、奇数、偶数ライン間の画像ズレが生じてしまっていた。また、特許文献１に記載の技術では、ゲートライン単位の切り替わりのときに、その部分に画像ムラが発生しやすい。
【０００９】
本発明はこのような状況に鑑みてなされたものであり、ライン間の画像ずれや画像ムラの発生を抑制することができるようにするものである。
【課題を解決するための手段】
【００１０】
本発明の第１の側面の液晶表示装置は、マトリクス状に配設された画素に対応する液晶表示素子から構成される表示手段と、前記画素に対応する前記液晶表示素子に接続された走査線を駆動する第１の駆動手段と、前記画素に対応する前記液晶表示素子に接続された信号線を駆動する第２の駆動手段と、前記表示手段に表示させる画像信号を取得する画像取得手段と、前記画像取得手段により取得された前記画像信号に基づいて、前記第１の駆動手段および前記第２の駆動手段を制御する制御手段とを備え、前記制御手段は、前記表示手段の全水平走査ラインを複数の領域に分割し、複数の前記領域で、水平走査ラインの奇数ラインのみを走査する第１のサブフレームと、水平走査ラインの偶数ラインのみを走査する第２のサブフレームとの走査を実行することにより、１フレーム全ての水平走査ラインを走査し、かつ、前記第１のサブフレームと前記第２のサブフレームとの切換え後の最初の水平走査ラインの書き込み時間が、他の水平走査ラインの書き込み時間よりも長く設定されるように、前記第１の駆動手段を制御し、前記第１のサブフレームと前記第２のサブフレームとの切換え時に極性信号が反転するように前記第２の制御手段を制御する。
【００１１】
前記制御手段には、前記第１のサブフレームと前記第２のサブフレームとの切換え時の極性信号の反転箇所が重ならないように、前記第１の駆動手段および前記第２の駆動手段を制御させるようにすることができる。
【００１２】
本発明の第１の側面の液晶表示方法は、マトリクス状に配設された画素に対応する液晶表示素子から構成される表示手段と、前記画素に対応する前記液晶表示素子に接続された走査線を駆動する第１の駆動手段と、前記画素に対応する前記液晶表示素子に接続された信号線を駆動する第２の駆動手段とを備える液晶表示装置の液晶表示方法であって、前記表示手段に表示させる画像信号を取得し、前記画像信号に基づいて、前記第１の駆動手段および前記第２の駆動手段を制御するとき、前記表示手段の全水平走査ラインを複数の領域に分割し、複数の前記領域で、水平走査ラインの奇数ラインのみを走査する第１のサブフレームと、水平走査ラインの偶数ラインのみを走査する第２のサブフレームとの走査を実行することにより、１フレーム全ての水平走査ラインを走査し、前記第１のサブフレームと前記第２のサブフレームとの切換え時に極性信号が反転し、前記第１のサブフレームと前記第２のサブフレームとの切換え後の最初の水平走査ラインの書き込み時間が、他の水平走査ラインの書き込み時間よりも長く設定されるように、前記第１の駆動手段および前記第２の駆動手段を制御する。
【００１３】
本発明の第１の側面においては、表示手段に表示させる画像信号が取得され、画像信号に基づいて、第１の駆動手段および第２の駆動手段が制御されるとき、表示手段の全水平走査ラインが複数の領域に分割され、複数の領域で、水平走査ラインの奇数ラインのみを走査する第１のサブフレームと、水平走査ラインの偶数ラインのみを走査する第２のサブフレームとの走査を実行することにより、１フレーム全ての水平走査ラインが走査され、第１のサブフレームと第２のサブフレームとの切換え時に極性信号が反転され、第１のサブフレームと第２のサブフレームとの切換え後の最初の水平走査ラインの書き込み時間が、他の水平走査ラインの書き込み時間よりも長く設定されるように、第１の駆動手段および第２の駆動手段が制御される。
【００１４】
本発明の第２の側面の表示制御装置は、マトリクス状に配設された画素に対応する液晶表示素子から構成される表示部への画像の表示を制御する表示制御装置であって、前記画素に対応する前記液晶表示素子に接続された走査線を駆動する第１の駆動手段と、前記画素に対応する前記液晶表示素子に接続された信号線を駆動する第２の駆動手段と、前記表示部に表示させる画像信号を取得する画像取得手段と、前記画像取得手段により取得された前記画像信号に基づいて、前記第１の駆動手段および前記第２の駆動手段を制御する制御手段とを備え、前記制御手段は、前記表示部の全水平走査ラインを複数の領域に分割し、複数の前記領域で、水平走査ラインの奇数ラインのみを走査する第１のサブフレームと、水平走査ラインの偶数ラインのみを走査する第２のサブフレームとの走査を実行することにより、１フレーム全ての水平走査ラインを走査し、かつ、前記第１のサブフレームと前記第２のサブフレームとの切換え後の最初の水平走査ラインの書き込み時間が、他の水平走査ラインの書き込み時間よりも長く設定されるように、前記第１の駆動手段を制御し、前記第１のサブフレームと前記第２のサブフレームとの切換え時に極性信号が反転するように、前記第２の駆動手段を制御する。
【００１５】
前記制御手段には、前記第１のサブフレームと前記第２のサブフレームとの切換え時の極性信号の反転箇所が重ならないように、前記第１の駆動手段を制御させるようにすることができる。
【００１６】
本発明の第２の表示制御方法は、マトリクス状に配設された画素に対応する液晶表示素子から構成される表示部への画像の表示を制御するために、前記画素に対応する前記液晶表示素子に接続された走査線を駆動する第１の駆動手段と、前記画素に対応する前記液晶表示素子に接続された信号線を駆動する第２の駆動手段とを備える表示制御装置の表示制御方法であって、前記表示部に表示させる前記画像に対応する画像信号を取得し、取得された前記画像信号に基づいて、前記第１の駆動手段および前記第２の駆動手段を制御するとき、前記表示部の全水平走査ラインを複数の領域に分割し、複数の前記領域で、水平走査ラインの奇数ラインのみを走査する第１のサブフレームと、水平走査ラインの偶数ラインのみを走査する第２のサブフレームとの走査を実行することにより、１フレーム全ての水平走査ラインを走査し、前記第１のサブフレームと前記第２のサブフレームとの切換え時に極性信号が反転し、前記第１のサブフレームと前記第２のサブフレームとの切換え後の最初の水平走査ラインの書き込み時間が、他の水平走査ラインの書き込み時間よりも長く設定されるように、前記第１の駆動手段および前記第２の駆動手段を制御する。
【００１７】
本発明の第２の側面においては、表示部に表示させる画像に対応する画像信号が取得され、取得された画像信号に基づいて、第１の駆動手段および第２の駆動手段が制御されるとき、表示部の全水平走査ラインが複数の領域に分割され、複数の領域で、水平走査ラインの奇数ラインのみを走査する第１のサブフレームと、水平走査ラインの偶数ラインのみを走査する第２のサブフレームとの走査が実行されることにより、１フレーム全ての水平走査ラインが走査され、第１のサブフレームと第２のサブフレームとの切換え時に極性信号が反転され、第１のサブフレームと第２のサブフレームとの切換え後の最初の水平走査ラインの書き込み時間が、他の水平走査ラインの書き込み時間よりも長く設定されるように、第１の駆動手段および第２の駆動手段が制御される。
【００１８】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【００１９】
また、通信とは、無線通信および有線通信は勿論、無線通信と有線通信とが混在した通信、即ち、ある区間では無線通信が行われ、他の区間では有線通信が行われるようなものであっても良い。さらに、ある装置から他の装置への通信が有線通信で行われ、他の装置からある装置への通信が無線通信で行われるようなものであっても良い。
【００２０】
表示装置は、独立した装置であっても良いし、テレビジョン受像機や録画再生装置の表示処理を行うブロックであっても良い。また、表示制御装置は、独立した装置であっても良いし、テレビジョン受像機や録画再生装置の表示制御処理を行うブロックであっても良い。
【発明の効果】
【００２１】
本発明の第１の側面によれば、画像を表示することができ、特に、極性信号の反転後の最初の水平走査ラインの書き込み時間を他の水平走査ラインの書き込み時間よりも長く設定することにより、画像ムラを防止することができる。
【００２２】
本発明の第２の側面によれば、画像の表示を制御することができ、特に、極性信号の反転後の最初の水平走査ラインの書き込み時間を他の水平走査ラインの書き込み時間よりも長く設定することにより、画像ムラを防止することができる。
【発明を実施するための最良の形態】
【００２３】
以下、図を参照して、本発明の実施の形態について説明する。
【００２４】
図４は、表示装置５１の構成を示すブロック図である。表示装置５１は、制御部７１、ＲＯＭ７２、フレームバッファ７３、ゲートドライバ（Gate Driver）７４、ソースドライバ（Source Driver）７５、および、LCD（Liquid crystal display）パネル７６を含んで構成されている。
【００２５】
制御部７１は、表示装置５１の制御を行うものであり、レシーバ９１、データ並び替え部９２、信号処理部９３、タイミングジェネレータ９４、および、メモリコントローラ９５を含んで構成され、表示装置５１固有の信号処理（例えば、色調整など）をするとともに、画像データを表示画素に書き込むために、ＬＣＤパネル７６の走査（ゲート）ライン、およびデータ（ソース）ラインを駆動するゲートドライバ７４およびソースドライバ７５を制御する。
【００２６】
レシーバ９１は、外部より入力される映像信号を受信して、データ並び替え部９２に供給する。
【００２７】
データ並び替え部９２は、入力画像のデータの並び変えを実行し、並び替えられた入力画像を、信号処理部９３に供給する。
【００２８】
信号処理部９３は、ＲＯＭ７２に保持されているパラメータを参照し、γ補正や、液晶応答と画素書き込み電圧を補償するための信号処理を実行し、処理後の信号を、タイミングジェネレータ９４またはメモリコントローラ９５に供給する。
【００２９】
タイミングジェネレータ９４は、ドライバ制御用タイミングジェネレータ１１１、データフォーマッタ１１２、および、トランスミッタ１１３を含んで構成され、表示装置５１の表示に関係する最も基本的な制御を行うものである。
【００３０】
ドライバ制御用タイミングジェネレータ１１１は、信号処理部９３から供給される信号に基づいて、表示素子を駆動する走査用のゲートドライバ７４および画像データを画素に書き込むソースドライバ７５の制御信号を生成する。
【００３１】
データフォーマッタ１１２は、信号処理部９３から供給される信号を、ソースドライバ７５へ映像信号を供給するための信号フォーマットに変換する。トランスミッタ１１３は、データフォーマッタ１１２において変換された映像信号をソースドライバ７５に送信する。
【００３２】
メモリコントローラ９５は、信号処理済みの画像信号のフレームバッファ７３との入出力の制御をする。
【００３３】
ＲＯＭ７２は、信号処理部９３の処理など、制御部７１の内部動作において必要とされるパラメータを格納する。
【００３４】
フレームバッファ７３は、メモリコントローラ９５の制御に基づいて、画像データを格納する。
【００３５】
ゲートドライバ（Gate Driver）７４は、複数（ここでは、ゲートドライバ７４−１乃至７４−３の６つ）設けることができ、ドライバ制御用タイミングジェネレータ１１１の制御に基づいて、LCDパネル７６にマトリクス状に配設された画素の対応する走査（ゲート）ラインを駆動して、ゲートバスラインに接続されているアクティブ素子をOn/Off制御する。
【００３６】
ソースドライバ（Source Driver）７５は、複数（ここでは、ソースドライバ７５−１乃至７５−１０の１０個）設けることができ、ドライバ制御用タイミングジェネレータ１１１の制御に基づいて、映像信号がLCDパネル７６にマトリクス状に配設された表示素子に表示されるよう、トランスミッタ１１３から供給される映像信号のD/A変換を行い、各画素に書き込むデータとして、対応するソースバスラインを駆動する。
【００３７】
LCDパネル７６は、マトリクス状に配設された画素に対応する液晶表示素子から構成され、保持電位により画像を表示するものである。ＬＣＤパネル７６に配設される画素は、一般的な画素構造を有するものであっても良いし、例えば、マルチ画素構造を有するものであっても良い。マルチ画素構造においては、それぞれの画素は複数の画素（ここでは、サブ画素Ａおよびサブ画素Ｂの２つの画素）に分けられ、入力階調に対してサブ画素Ａが先に輝度を上げ、サブ画素Ｂは後から輝度を上げるようになされており、総合的な輝度はガンマ特性を満足するように調整される。
【００３８】
表示装置５１の動作について説明する。
【００３９】
まず、制御部７１のレシーバ９１が映像信号を受信し、データ並び替え部９２に供給する。データ並び替え部９２は、ＲＯＭ７２に記録されている設定などに基づいて、例えば、図５乃至図１０を用いて後述するような表示を行うことができるように、映像信号を並び替え、信号処理部９３に供給する。
【００４０】
そして、信号処理部９３は、ＲＯＭ７２に記録されているパラメータに基づいて、RGBγに対する1対1の補正を行い、メモリコントローラ９５を介してフレームバッファ７３に供給する。そして、信号処理部９３は、１フレーム遅延した画像信号を、メモリコントローラ９５を介してフレームバッファ７３から読み込んで次のフレームの画像信号との比較演算を行うことにより、ＬＣＤパネル７６の液晶応答と画素書き込み電圧を補償するための信号処理を実行し、処理後の信号を、タイミングジェネレータ９４に供給する。
【００４１】
タイミングジェネレータ９４のドライバ制御用タイミングジェネレータ１１１およびデータフォーマッタ１１２は、信号処理部９３から処理後の信号の供給を受ける。ドライバ制御用タイミングジェネレータ１１１は、LCDパネル７６の表示素子を駆動するゲートドライバ７４およびソースドライバ７５を制御する制御信号を生成し、ゲートドライバ７４およびソースドライバ７５に出力する。
【００４２】
そして、データフォーマッタ１１２は、信号処理部９３から供給される信号を、ソースドライバへ映像信号を供給するための信号フォーマットに変換し、トランスミッタ１１３に供給する。トランスミッタ１１３は、データフォーマッタ１１２において変換された映像信号をソースドライバに送信する。
【００４３】
ソースドライバ７５は、ドライバ制御用タイミングジェネレータ１１１の制御に基づいて、映像信号がLCDパネル７６にマトリクス状に配設された表示素子に表示されるよう、トランスミッタ１１３から供給される映像信号のD/A変換を行い、各画素に書き込むデータとして、対応するソースバスラインを駆動して、LCDパネル７６に画像を表示させる。このとき、ドライバ制御用タイミングジェネレータ１１１は、ソースドライバ７５の出力特性を決める極性信号POLを反転させながら、画素の書き込み極性の分布が市松状になるように配設する。極性信号POLの反転と画素の書き込み極性の詳細については後述する。
【００４４】
表示装置５１においては、１画面を複数フレームに分割し、分割したフレームをそれぞれさらに上述した1/2および2/2の2つのサブフレームに分割する。
【００４５】
すなわち、図１乃至図３を用いて説明した従来における場合のように、１フレームを奇数ラインのみと偶数ラインのみを駆動する1/2および2/2の2つのサブフレームに分割するためには、入力信号を蓄えるために、少なくとも1画面分のフレームメモリが必要となってしまう。そこで、表示装置５１においては、図５に示されるように、マルチ画素である場合であっても、通常の画素である場合であっても、画面をいくつかに分割し、奇数サブフレーム・偶数サブフレームを１フレーム中に複数回切り替えるものとする。分割数を増やすほど必要なメモリは小さくなるが、極性反転の回数は増加するため消費電力は増す。仮に１ラインごとの反転にすればドット反転駆動と同じであり、消費電力が高くなってしまうが、例えば、２ラインごとの反転にすれば、ドット反転駆動と比較して消費電力低減効果を得ることができる。
【００４６】
例えば、図６のＡに示されるように、１画面を水平方向に１２分割した場合、図６Ｂに示されるように、１ライン目の駆動の次は３ライン目が駆動され、その次に５ライン目が駆動され、奇数ラインが６３ライン目までの３２ライン駆動された後に、２ライン目４ライン目・・・が駆動される（図６のＢ中の数字は、各ラインの駆動順を示す）。したがって、図６のＣに示されるように、極性信号POLは、１フレーム中で２４回、すなわち、１２分割されたフレームにおいて各サブフレームが切り替わるごとに、１回切り替わる（図６のＢ中の数字は、画面上上から数えたライン番号を示す）。
【００４７】
図７に、図６を用いて説明した場合における、ＬＣＤパネル７６を動作させるための駆動信号を示す。図中、GSTR_Leftは、奇数ラインの走査開始を示す信号であり、GSTR_Rightは、偶数ラインの走査開始を示す信号であり、CGLK_Leftは、奇数ラインの水平同期のための基準クロックであり、CGLK_ Rightは、偶数ラインの水平同期のための基準クロックである。なお、基準クロックは、図２４を用いて説明した場合のように、１つの信号によるものであってもよいことはいうまでもない。そして、Ｇ１，Ｇ２・・・は、それぞれのラインのゲート駆動波形であり、POLは、ソースドライバの駆動極性を制御する信号である。
【００４８】
図８に、図６および図７を用いて説明した駆動方法における、ＬＣＤパネル７６の各画素を動作させる駆動波形を示す。
【００４９】
図中VCOMは、ＬＣＤパネル７６の各画素の画素電位の対向電極電位であり、対向電極と画素とで構成される容量で表示電位がきまる。そして、S1はソースバスラインの駆動波形、Ｇ３３は３３番目の走査(ゲート)ラインの駆動波形、POLは、ソースドライバ７５の駆動極性を制御する信号である。
【００５０】
１ライン目から３１ライン目までの奇数ラインの駆動中、すなわち、POLが固定している状態では、ソースドライバ７５は、VCOMを跨った遷移をしないので、立ち上がり時間が短く出来る。しかしながら、次に、３３番目にゲートラインが駆動されるとき、すなわち、奇数ラインから偶数ラインに駆動が切り替わるとき、POLが反転してＧ３３がHighとなっているときは、POLが固定している状態においてソースドライバの電位が所望のレベルになるまでに必要な固定時間と比較して、ソースドライバの電位が所望のレベルになるまでに、時間を要する(Tr_B＞Tr_A)。そのため、例えば、Tr_B＝Tr_Aとされてしまった場合、書き込み時間が十分確保できない。そこで、図８に示されるように、この３３番目の書き込み期間を他に対して長くすることで、書き込み条件を均一になるようにする。すなわち、図中のタイミングを、Ｔ３＞Ｔ１,Ｔ１＝Ｔ２＝Ｔ４とすると好適である。
【００５１】
このようにすることにより、POLが反転するときの書き込み時間を充分確保することができるので、この部分にムラが発生することを防止することができる。
【００５２】
また、同様に、他の、奇数ラインから偶数ラインに駆動が切り替わるとき、および、偶数ラインから奇数ラインに駆動が切り替わるときにも、その最初のラインの書き込み時間を、他の書き込み時間に対して十分長くするべきであることはいうまでもない。
【００５３】
そして、さらに、１画面を複数フレームに分割するとき、奇数ラインを走査する領域と偶数ラインを走査する領域とが一致しないようにして、1/2および2/2の2つのサブフレームに分割するものとしても良い。
【００５４】
すなわち、図９に示されるように、表示装置５１においては、マルチ画素である場合であっても、通常の画素である場合であっても、連続する奇数サブフレームの選択ラインの位置と偶数サブフレーム選択ラインの位置とが異なるようにし、これらのサブフレームを１フレーム中に複数回切り替えるものとする。換言すれば、表示装置５１においては、マルチ画素である場合であっても、通常の画素である場合であっても、極性信号POLの切り替え箇所をサブフレームごとに重ならないように設定することができる。奇数サブフレームの選択ライン数と偶数サブフレームの選択ライン数は、ランダムに設定されていても良いが、制御を簡略化するため、所定の規則性を有するように設定されるものであっても良い。ここでも、分割数を増やすほど必要なメモリは小さくなるが、極性反転の回数は増加するため消費電力は増す。しかしながら、例えば、最低２ラインごとの反転にすれば、ドット反転駆動と比較して消費電力低減効果を得ることができる。
【００５５】
例えば、図１０のＡに示されるように、１画面を水平方向に１２分割し、奇数サブフレームの最初の選択ライン数を、１２分割のさらに半分のライン数とした場合、図１０Ｂに示されるように、１ライン目の駆動の次は３ライン目が駆動され、その次に５ライン目が駆動され、奇数ラインが３１ライン目までの１６ライン駆動された後に、２ライン目４ライン目・・・が駆動される（図１０のＢ中の数字は、各ラインの駆動順を示す）。したがって、図６を用いて説明した場合と比較して、図１０のＣに示されるように、極性信号POLは、１フレーム中で１回多い２５回切り替わる（図１０のＢ中の数字は、画面上上から数えたライン番号を示す）。
【００５６】
なお、この場合においても、図８を用いて説明したように、奇数ラインから偶数ラインに駆動が切り替わるとき、および、偶数ラインから奇数ラインに駆動が切り替わるときにも、その最初のラインの書き込み時間を、他の書き込み時間に対して十分長くすると好適であることはいうまでもない。
【００５７】
このように、図１０を用いて説明した場合においては、１２分割されたフレームにおいて各サブフレームのライン選択位置がずれるようにサブフレームが切り替えられ、それぞれ、奇数ラインおよび偶数ラインが駆動されるので、ドット反転駆動と比較して消費電力を抑えつつ、必要なメモリの容量を少なくすることができるとともに、偶数ラインと奇数ラインでPOLの切り替箇所を分散させることができるので、この部分に発生しやすいムラを低減し、ＬＣＤパネル７６の調整をし易くすることができる。
【００５８】
以上説明したように、表示装置５１は、画素書き込みの極性の配置を市松状にでき、縦スジを発生させず、かつ隣接走査ラインの駆動の時間差が小さく抑えることで動画像における画像ズレを発生させることなく、ソースバスラインの駆動極性の反転をＮライン毎にすることができる。これにより、画質改善と低消費電力を同時に実現できる。
【００５９】
また、奇数ラインから偶数ラインに駆動が切り替わるとき、および、偶数ラインから奇数ラインに駆動が切り替わるときにも、その最初のラインの書き込み時間を、他の書き込み時間に対して十分長くする、すなわち、POLが反転するときの書き込み時間を充分確保することにより、この部分にムラが発生することを防止することができる。
【００６０】
また、表示装置５１においては、マルチ画素である場合であっても、通常の画素である場合であっても、連続する奇数サブフレームの選択ラインの位置と偶数サブフレーム選択ラインの位置とが異なるように、換言すれば、極性信号POLの切り替え箇所をサブフレームごとに重ならないように設定することができるので、ドット反転駆動と比較して消費電力を抑えつつ、必要なメモリの容量を少なくすることができるとともに、極性信号POLの切り替え箇所に発生しやすいムラを低減し、ＬＣＤパネル７６の調整をし易くすることができる。
【００６１】
なお、ここでは、表示装置５１を１つの装置であるものとして説明したが、例えば、ＬＣＤパネル７６を別装置として、これ以外の部分を、表示制御装置として構成するようにしても良いことはいうまでもない。
【００６２】
なお、本発明の実施の形態は、上述した実施の形態に限定されるものではなく、本発明の要旨を逸脱しない範囲において種々の変更が可能である。
【図面の簡単な説明】
【００６３】
【図１】従来のインターレース方式について説明するための図である。
【図２】従来のインターレース方式について説明するための図である。
【図３】従来のインターレース方式について説明するための図である。
【図４】表示装置の構成を示すブロック図である。
【図５】フレームを分割した場合のサブフレームについて説明するための図である。
【図６】図５の場合の選択ラインと極性信号の反転について説明するための図である。
【図７】図５の場合の駆動信号について説明するための図である。
【図８】図５の場合の駆動波形について説明するための図である。
【図９】フレームの分割を奇数ラインと偶数ラインで異なるようにした場合のサブフレームについて説明するための図である。
【図１０】図９の場合の選択ラインと極性信号の反転について説明するための図である。
【符号の説明】
【００６４】
５１  表示装置，  ７１  制御部，  ７２  ＲＯＭ，  ７３  フレームバッファ，  ７４  ゲートドライバ（Gate Driver），  ７５  ソースドライバ（Source Driver），  ７６  LCD（Liquid crystal display）パネル
【図１】
2009229858.tif 000003
【図２】
2009229858.tif 000004
【図３】
2009229858.tif 000005
【図４】
2009229858.tif 000006
【図５】
2009229858.tif 000007
【図６】
2009229858.tif 000008
【図７】
2009229858.tif 000009
【図８】
2009229858.tif 000010
【図９】
2009229858.tif 000011
【図１０】
2009229858.tif 000012